(57)【要約】【課題】  面倒な動作をすることなく、記録媒体の挿入、取り出し、取り替えができる。【解決手段】  内部に収納したディスク記録媒体に映像信号を記録可能な撮像装置であって、撮像手段を有する本体部と、前記本体部に取り付けられており操作者による装置保持を補助する保持補助部材と、前記ディスク記録媒体が収納される際に前記本体部に対して閉状態となり、前記ディスク記録媒体が取り出される際に前記本体部に対して開状態となる媒体保護部と、を備え、前記保持補助部材と前記媒体保護部は、前記本体部を基準に異なる側面に設けられている。【選択図】  図１
2006237843.tif 000002
【特許請求の範囲】
【請求項１】
内部に収納したディスク記録媒体に映像信号を記録可能な撮像装置であって、
撮像手段を有する本体部と、
前記本体部に取り付けられており操作者による装置保持を補助する保持補助部材と、
前記ディスク記録媒体が収納される際に前記本体部に対して閉状態となり、前記ディスク記録媒体が取り出される際に前記本体部に対して開状態となる媒体保護部と、を備え、
前記保持補助部材と前記媒体保護部は、前記本体部を基準に異なる側面に設けられていることを特徴とする撮像装置。
【請求項２】
前記本体部と前記媒体保護部との間の開閉面はディスクデッキを構成しており、前記ディスクデッキは、装置全体における底面を基準として、傾斜した面上に配置されていることを特徴とする請求項１に記載の撮像装置。
【請求項３】
前記媒体保護部は、前記撮像手段により撮影された映像、或いは前記ディスク記録媒体に記録された映像を表示する表示手段を有することを特徴とする請求項１または２に記載の撮像装置。
【請求項４】
内部に収納したディスク記録媒体に映像信号を記録可能な撮像装置であって、
装置全体における底面を基準として、傾斜した面上に配置されているディスクデッキを備えることを特徴とする撮像装置。
【発明の詳細な説明】
【技術分野】
【０００１】
本発明は、内部に収納したディスク記録媒体に映像信号を記録可能な撮像装置に関するものである。
【背景技術】
【０００２】
従来、ＤＶＤ等の光ディスクを記録媒体とするディスクビデオカメラ装置における各種主要部品の配置関係は図７に見られるように、ビデオカメラにファインダーが配置されている面をビデオカメラ背面とする時、背面から見て右側面にディスク型記録媒体を収納するためのディスクデッキ部とディスクカバー、ディスクカバーのさらに外側に記録、再生中に撮像者の手の振動を軽減し、安定に保持するためのハンドストラップが配置され、ビデオカメラの筐体内上部にレンズや鏡筒を始めとする光学装置やファインダーが配置され、ビデオカメラ背面から見て左側面側に撮像時に撮像画像を参照するための液晶モニター部が配置され、筐体内の残りの空間にその他の電気部品、電気基盤、メカ部品、光学部品等が配置されている。
【０００３】
以下では、ビデオカメラにおいて、カメラレンズが配置された面をビデオカメラの前面側、ファインダーが配置された面を同じく背面側、背面側から前面側を見て右の側面側を右側面側、同じく左の側面側を左側面側とする。
【０００４】
ディスクビデオカメラの使用者が撮像する時、通常、右手でディスクビデオカメラを持ち、右側面に備え付けられたハンドストラップに右手を通してディスクビデオカメラを保持する。
【０００５】
ディスクビデオカメラにおいて、記録媒体をディスクビデオカメラのディスクデッキ部に設置するには、図７に示す様に、ディスククカバー２をあけた後、ディスクそのもの、もしくはディスク保護、扱いやすくする等の目的でカートリッジ状になっているもの９を、ディスクビデオカメラのディスクデッキ部１に設置し、ディスクカバー２を閉じることで行う。
【０００６】
ディスクビデオカメラにおいて、記録媒体をディスクビデオカメラのディスクデッキ部から取り出すには、前記と同様に、ディスククカバー２をあけた後、ディスクそのもの、もしくはディスク保護、扱いやすくする等の目的でカートリッジ状になっているものを、ディスクビデオカメラのディスクデッキ部１から取り出し、ディスクカバー７を閉じることで行う。
【特許文献１】特開２００３−２８８７４３号公報
【発明の開示】
【発明が解決しようとする課題】
【０００７】
図７を参照しながら説明すると、上記従来技術を用いた構成では記録媒体を収納するためのディスクデッキ部１、ならびに、そのディスクカバー２とハンドストラップ７とが右側面にあり、その機構上、最右側面から順に、ハンドストラップ７、ディスクカバー２、ディスクデッキ部１の順番となっている。このため、撮像者が右側面に備え付けられたハンドストラップ７を使用して、右手でディスクビデオカメラを支持している時、ディスク型記録媒体を交換する必要が生じた場合、そのままではディスクカバー７を開けるのに、ハンドストラップを通して、ビデオカメラを保持している右手がディスクカバー７の開閉の妨げになるため、撮像者は右側面に備えられたハンドストラップから一度右手をはずし、ビデオカムコーダーを左手で支持、あるいは机等の卓上にビデオカムコーダーを置く等の動作をおこなった後、右側面のディスクカバーを開けディスク記録媒体の交換をしなければならない。
【０００８】
このため、ディスクビデオカメラを使用中、ディスク記録媒体の交換に際して、先に述べたハンドストラップからの右手を着脱する動作を必要とするため、使用者に動作の面倒を与える。
【０００９】
本発明は、ディスクビデオカメラにおいて、ディスクデッキ部への記録媒体の挿入、またはディスクデッキ部からの記録媒体の取り出し、取り替えの際に、上記に述べたような右側面に備え付けられたハンドストラップからビデオカメラを保持している手を外すといった面倒な動作をすることなく、記録媒体の挿入、取り出し、取り替えができることを目的とする。
【課題を解決するための手段】
【００１０】
上記目的を達成するために、本発明の撮像装置は、内部に収納したディスク記録媒体に映像信号を記録可能な撮像装置であって、撮像手段を有する本体部と、前記本体部に取り付けられており操作者による装置保持を補助する保持補助部材と、前記ディスク記録媒体が収納される際に前記本体部に対して閉状態となり、前記ディスク記録媒体が取り出される際に前記本体部に対して開状態となる媒体保護部と、を備え、前記保持補助部材と前記媒体保護部は、前記本体部を基準に異なる側面に設けられていることを特徴とする。
【００１１】
また、本発明の撮像装置は、内部に収納したディスク記録媒体に映像信号を記録可能な撮像装置であって、装置全体における底面を基準として、傾斜した面上に配置されているディスクデッキを備えることを特徴とする。
【発明の効果】
【００１２】
本発明によれば、ディスクビデオカメラにおいて、ディスクデッキ部への記録媒体の挿入、またはディスクデッキ部からの記録媒体の取り出し、取り替えの際に、ハンドストラップから手を抜くことなくディスク記録媒体の出し入れが可能になった。また、ディスクビデオカメラの小型化を図ることが可能となった。
【発明を実施するための最良の形態】
【００１３】
以下、本発明の実施形態を図面を用いて説明する。
【００１４】
図１（ａ）は、本発明によるディスクビデオカメラの一実施形態の前面側（カメラレンズ側）から見た、傾投影図であって、１はディスクデッキ部、３はファインダー、４は液晶モニター、５は各種操作ボタン、６はマイク部、７はハンドストラップ、１０はカメラレンズ部である。
【００１５】
同図において、ディスクデッキ部１の筐体内には、ディスクドライブやディスク収納部などが内蔵されており、ディスク記録媒体を、カートリッジに収納したまま、そのディスク収納部に挿入したり、そこから取り出したりできるようになっている。
【００１６】
図１（ｂ）は本実施形態において、ディスク記録媒体を挿入する際の、ディスクデッキ部が開いている時の図で、前面側（カメラレンズ側）から背面側を見た時の斜投影図である。１はディスクデッキ部、３はファインダー、４は液晶モニター、５は各種操作ボタン、６はマイク部、７はハンドストラップ、８はディスク収納部、９は記録媒体、１０はカメラレンズ部である。
【００１７】
同図のように、ディスクデッキの開閉面は、ビデオカメラ内において、カメラ部と液晶モニターとの間にあり、ビデオカメラの垂直方向や、水平方向から傾いた面にある。
【００１８】
ユーザは、筐体の一部に設けられた開閉機構の開閉によって現れたディスクデッキのメカシャーシにアクセスし、記録媒体９の収納及び取り出しをすることができる。
【００１９】
図２（ａ）や図２（ｂ）はビデオカメラを前面方向、背面方向から見た時の、ビデオカメラ筐体内においてカメラレンズ部１とファインダー３、ディスク収納部８、液晶モニター部４とがどのように配置されているかを示した図であり、図のように、ディスク収納部８は、ビデオカメラ筐体内において、対角線方向に配置されている。また、カメラレンズ部１と液晶モニター部４との間、ファインダー３と液晶モニター部４との間に配置されている。
【００２０】
図３（ａ）、図３（ｂ）は右手をハンドストラップ７に通しビデオカメラを保持している際の、ディスクデッキ部１の開閉の様子を示した図であり、右手をストラップ７からはずすことなく、ディスクデッキ部１を開閉し、ディスク記録媒体をディスクデッキ部に挿入する事ができる。
【００２１】
上記により、ディスクビデオカメラを用いて使用者が被写体を撮像時、もしくは記録された影像信号を再生し、液晶モニターで見ている時などに、記録媒体の交換をしたい場合において、記録装置右側面に備え付けられたストラップを通してビデオカメラを支えている手をストラップからはずすことなく、ディスクデッキ部の開閉、ディスク記録媒体をディスクビデオカメラ装置に収納することが可能となる。
【００２２】
また、図１において、液晶モニター部４はヒンジ部１１の地面に対して水平な回転軸を中心として１８０度回転させてから、この液晶モニター部４をその収納部に収納することができ、その場合は、図１に示す状態に対し、液晶モニター部４の表示部が外側に現れることとなる。
【００２３】
この表示部が外側に現れた状態で、ストラップを用いて左右どちらかの片手でビデオカメラを保持し、再生映像、再生画像を見るといった使い方、すなわち液晶モニターを簡易の再生モニターとして使用することができる。
【００２４】
この場合、片手をストラップに入れたビデオカメラを保持した状態のまま、再生するディスク記録媒体を交換することができるので、交換しながら、直ちに再生映像、再生画像を見ることのできる体勢になっている。
【００２５】
このため、ディスク記録媒体が複数枚あり、その中から目的のディスク記録媒体を探す場合、図４のように、個々のディスク記録媒体に記録されたデータを順番に再生し、液晶モニターで中身を確認しながら探すのに、ストラップに片手を入れビデオカメラを保持した状態のまま行うことが可能となる。
【００２６】
また、本発明を用いるとビデオカメラ装置のコンパクト化が図れる。これは、従来のディスク記録媒体を用いたビデオカメラではディスクデッキ部は、地面に対して垂直な面上に設置されているため、図５（ａ）に見られるように、その記録装置の高さ方向の寸法は使用しているディスク記録媒体の直径長よりも小さくすることはできなかった。
【００２７】
しかし、本発明の記録装置によれば、撮像時に記録媒体がビデオカメラの垂直方向から傾けて配置されるので、実際のディスクデッキ部の高さ方向に関する長さは図５（ｂ）に見られるように、使用している記録媒体の直径長よりも小さくすることが可能であり、この結果として、ディスクビデオカメラの高さ方向へのコンパクト化を図ることができる。
【００２８】
また、ディスクビデオカメラの使用者が撮像している時、通常、右手でディスクビデオカメラを持ち、右側面に備え付けられたハンドストラップに右手を通してディスクビデオカメラを保持するが。このとき、実際にビデオカメラにおいて、その姿勢を支えるために、使われる部分は図６（ａ）において、矢印で示した２点であり、手のひらと手の指の腹とがこの２点に接触し、支えている。このため図６（ｂ）において斜線で示された空間はビデオカメラを保持するためには必ずしも必要ではない。
【００２９】
本発明を用いると、右側面にディスクデッキ部が配置されないため、右側面の面の形状を自由に変えることができる。よって、図６（ｂ）において斜線で示された空間を削り、軽量化を図った図６−ｃのような形状を取る事もできる。
【００３０】
以上説明したように、本実施形態によれば、ハンドストラップとディスクカバーとが本体に対して反対面に設けられているので、そのディスクデッキを開閉する際に、ハンドストラップから手を抜くことなくディスク記録媒体の出し入れが可能になった。
【００３１】
また、従来使用しているディスク記録媒体の直径長に依存していたビデオカメラの高さが、ビデオカメラ筐体内でディスク記録媒体が傾斜して配置されているため、ディスク記録媒体の直径長よりも低く設計する事ができ、結果として、ビデオカメラのコンパクト化を図る事が可能になった。
【００３２】
また、右側面にディスクデッキ部が配置されないため、右側面の面の形状を自由に変えることができる。右側面は、ハンドストラップを用いてビデオカメラを安定に支持する部分であるため、使用者がビデオカメラを保持しやすい形状にしたり、不要な空間部分を削って軽量化を図ったりする事が可能になった。
【図面の簡単な説明】
【００３３】
【図１】本発明によるディスクビデオカメラの一実施形態を前面側から見た斜投影図である。
【図２】本発明によるディスクビデオカメラの一実施形態を前面側から見た平面図である。
【図３】本発明によるディスクビデオカメラを手に持って使用した場合の例図である。
【図４】本発明によるディスクビデオカメラの使用例。
【図５】従来のディスクビデオカメラと本発明によるディスクビデオカメラとでの、ディスクデッキ部の配置の仕方による比較の図である。
【図６】本発明によるディスクビデオカメラの形状の説明のための一具体例図である。
【図７】ディスクビデオカメラの従来例。
【符号の説明】
【００３４】
１  ディスクデッキ部
２  ディスクカバー
３  ファインダー
４  液晶モニター部
５  操作ボタン
６  マイク部
７  ハンドストラップ
８  ディスク収納部
９  記録媒体
１０  カメラ部
１１  ヒンジ
１２  再生画面
１３  ディスク記録媒体の直径長
【図１】
2006237843.tif 000003
【図２】
2006237843.tif 000004
【図３】
2006237843.tif 000005
【図４】
2006237843.tif 000006
【図５】
2006237843.tif 000007
【図６】
2006237843.tif 000008
【図７】
2006237843.tif 000009